(57)【要約】【課題】  移動通信端末機に備えられた検出手段によりバッテリー端子の電気的ショートとその発生したショートの種類を検出して、外部使用者に視聴覚的に知らせることにより、バッテリー端子のショートによる端末機の内部回路の損傷を防止できるバッテリー端子のショート検出装置及び方法を提供する。【解決手段】  バッテリーが装着された移動通信端末機において、バッテリー端子のショート検出装置は、バッテリー端子と、バッテリー端子のショート及びショートの種類を検出するショート検出部と、ショート検出部により検出されたショート及びショートの種類を出力する制御部とを含む。【選択図】  図１
2006094523.tif 000002
【特許請求の範囲】
【請求項１】
バッテリーが装着された移動通信端末機において、
バッテリー端子と、
前記バッテリー端子のショート及びショートの種類を検出するショート検出部と、
前記ショート検出部により検出されたショート及びショートの種類を出力する制御部と、
を含むことを特徴とするショート検出装置。
【請求項２】
前記ショート検出部は、
前記バッテリー端子の電位に基づいてショートを検出するショート状態検出部と、
前記バッテリー端子の電位に基づいてショートの種類を検出するショート種類検出部と、
から構成されることを特徴とする請求項１に記載のショート検出装置。
【請求項３】
前記ショート状態検出部は、一側は前記バッテリー端子の正極端子に接続され、他側は接地した論理回路で構成されることを特徴とする請求項１に記載のショート検出装置。
【請求項４】
前記論理回路がＮＯＲゲートであることを特徴とする請求項３に記載のショート検出装置。
【請求項５】
前記ショート種類検出部は、
前記バッテリー端子の正極端子に接続されて、所定レベル以上の電圧を検出するダイオードと、
前記ダイオードに接続されたＮＯＲゲートと、
から構成されることを特徴とする請求項１に記載のショート検出装置。
【請求項６】
前記ショートの種類が、端子間のショート、又は外部導体によるショートであることを特徴とする請求項１に記載のショート検出装置。
【請求項７】
前記出力が、視覚又は聴覚的に行われることを特徴とする請求項１に記載のショート検出装置。
【請求項８】
バッテリー端子と、
前記バッテリー端子のショート状態を検出するショート状態検出部と、
前記ショート状態検出部により検出されたショート状態を出力する制御部と、
を含むことを特徴とするショート検出装置。
【請求項９】
前記ショート状態検出部は、一側は前記バッテリー端子の正極端子に接続され、他側は接地したＮＯＲゲートで構成されることを特徴とする請求項８に記載のショート検出装置。
【請求項１０】
前記バッテリー端子から発生したショートの種類を検出して前記制御部に出力するショート種類検出部をさらに含むことを特徴とする請求項８に記載のショート検出装置。
【請求項１１】
前記ショート種類検出部は、
前記バッテリー端子の正極端子に接続されて、所定レベル以上の電圧を検出するダイオードと、
前記ダイオードに接続されたＮＯＲゲートと、
から構成されることを特徴とする請求項１０に記載のショート検出装置。
【請求項１２】
前記ショートの種類が、端子間のショート、又は外部導体によるショートであることを特徴とする請求項１０に記載のショート検出装置。
【請求項１３】
前記ショート検出部により検出されたショート状態を出力するディスプレイ部及びアラーム部をさらに含むことを特徴とする請求項８に記載のショート検出装置。
【請求項１４】
前記出力が、視覚又は聴覚的に行われることを特徴とする請求項８に記載のショート検出装置。
【請求項１５】
バッテリー端子と、
前記バッテリー端子のショート状態を検出するショート状態検出部と、
前記バッテリー端子のショートの種類を検出するショート種類検出部と、
前記検出されたショート状態及びショートの種類を出力する制御部と、
を含むことを特徴とする移動通信端末機。
【請求項１６】
前記出力が、視覚又は聴覚的に行われることを特徴とする請求項１５に記載の移動通信端末機。
【請求項１７】
前記ショート状態検出部は、一側は前記バッテリー端子の正極端子に接続され、他側は接地したＮＯＲゲートで構成されることを特徴とする請求項１５に記載の移動通信端末機。
【請求項１８】
前記ショート種類検出部は、
前記バッテリー端子の正極端子に接続されて、所定レベル以上の電圧を検出するダイオードと、
前記ダイオードに接続されたＮＯＲゲートと、
から構成されることを特徴とする請求項１５に記載の移動通信端末機。
【請求項１９】
前記ショートの種類が、異物による端子間のショート、又は外部導体によるショートであることを特徴とする請求項１５に記載の移動通信端末機。
【請求項２０】
バッテリー端子のショート状態を検出する段階と、
前記ショート状態が検出された場合、該当ショートの種類を検出する段階と、
前記検出されたショート状態及びショートの種類を出力する段階と、
を含むことを特徴とするショート検出方法。
【請求項２１】
前記ショートの種類が、端子間のショート、又は外部導体によるショートであることを特徴とする請求項２０に記載のショート検出方法。
【請求項２２】
前記ショート状態及びショートの種類は、前記バッテリー端子の電位を利用して検出することを特徴とする請求項２０に記載のショート検出方法。
【請求項２３】
前記バッテリー端子の電圧が完全な接地電圧の場合は端子間のショートであり、前記バッテリー端子の電圧が接地電圧より若干大きい場合は外部導体によるショートであることを特徴とする請求項２２に記載のショート検出方法。
【請求項２４】
前記出力が、視覚又は聴覚的に行われることを特徴とする請求項２０に記載のショート検出方法。
【発明の詳細な説明】
【技術分野】
【０００１】
本発明は、移動通信端末機に関し、特に、バッテリー端子のショート状態及びショートの種類を視聴覚的に外部に知らせることができる装置及び方法に関する。
【背景技術】
【０００２】
急速な通信技術の発達と使用者の欲求の増大によって、最近、単純な通話機能以外に多様な機能が付加された複合的な概念の移動通信端末機（以下、端末機ともいう）、例えば、デジタルカメラ機能及び／又はＭＰ３機能を備えた端末機が商品化されている。
【０００３】
一般に、端末機にはバッテリーが内蔵されるが、端末機の安定した動作のために、前記バッテリーは所定時間使用後に充電装置を利用して充電しなければならない。
【０００４】
図３は、移動通信端末機と充電装置の結合状態を示す図である。
【０００５】
図３に示すように、バッテリー７２を充電するために、端末機７０は、充電装置７３に挿入されると、充電装置７３の充電端子７４が端末機７０の下側に位置する収容部７６に一部収容されることによって、充電端子７４と収容部７６内に形成されたプレート状のバッテリー端子７１とが接触する。
【０００６】
充電端子７４とバッテリー端子７１とが接触すると、充電装置７３の各充電端子７４から端末機７０の各バッテリー端子７１を介してバッテリー７２に充電電流が供給されて、バッテリー７２が充電される。
【０００７】
しかしながら、従来の移動通信端末機のバッテリー端子は、通常外部に露出しているため、バッテリー端子に異物が付着したり導体が接触した場合は、バッテリー端子がショートすることがある。このように、前記バッテリー端子がショートした場合は、バッテリーの充電動作が円滑に行われず、特に、バッテリー端子のショート状態が長時間持続すると端末機の内部回路が損傷する（例えば、バッテリーの過熱又は爆発）という問題があった。
【発明の開示】
【発明が解決しようとする課題】
【０００８】
本発明は、このような従来技術の問題を解決するためになされたもので、バッテリー端子のショート状態及びショートの種類を検出して使用者に視聴覚的に知らせることにより、端末機の使用安定性及び機能性を向上させることができるバッテリー端子のショート検出装置及び方法を提供することを目的とする。
【課題を解決するための手段】
【０００９】
上記の目的を達成するために、本発明によるショート検出装置は、バッテリー端子と、前記バッテリー端子のショート状態を検出するショート状態検出部と、前記バッテリー端子のショートの種類を検出するショート種類検出部と、前記検出されたショート状態及びショートの種類を視聴覚的に出力する制御部とを含むことを特徴とする。
【００１０】
好ましくは、前記ショート状態検出部は、一側は前記バッテリー端子の正極端子に接続され、他側は接地したＮＯＲゲートで構成される。
【００１１】
好ましくは、前記ショート種類検出部は、前記バッテリー端子の正極端子に接続されて、所定レベル以上の電圧を検出するダイオードと、前記ダイオードに接続されたＮＯＲゲートとから構成される。
【００１２】
好ましくは、前記ショートの種類は、端子間のショート、又は外部導体によるショートである。
【００１３】
上記の目的を達成するために、本発明によるショート検出方法は、バッテリー端子のショート状態を検出する段階と、前記ショート状態が検出された場合、該当ショートの種類を検出する段階と、前記検出されたショート状態及びショートの種類を視聴覚的に出力する段階とを含むことを特徴とする。
【００１４】
好ましくは、前記ショートの種類は、端子間のショート、又は外部導体によるショートである。
【００１５】
好ましくは、前記ショート状態及びショートの種類は、前記バッテリー端子の電位を利用して検出し、前記バッテリー端子の電圧が完全な接地電圧の場合は端子間のショートであり、前記バッテリー端子の電圧が接地電圧より若干大きい場合は外部導体によるショートである。
【００１６】
上記目的を達成するために、本発明は、例えば、さらに以下を提供する。
（項目１）
バッテリーが装着された移動通信端末機において、
バッテリー端子と、
前記バッテリー端子のショート及びショートの種類を検出するショート検出部と、
前記ショート検出部により検出されたショート及びショートの種類を出力する制御部と、
を含むことを特徴とするショート検出装置。
（項目２）
前記ショート検出部は、
前記バッテリー端子の電位に基づいてショートを検出するショート状態検出部と、
前記バッテリー端子の電位に基づいてショートの種類を検出するショート種類検出部と、
から構成されることを特徴とする項目１に記載のショート検出装置。
（項目３）
前記ショート状態検出部は、一側は前記バッテリー端子の正極端子に接続され、他側は接地した論理回路で構成されることを特徴とする項目１に記載のショート検出装置。
（項目４）
前記論理回路がＮＯＲゲートであることを特徴とする項目３に記載のショート検出装置。
（項目５）
前記ショート種類検出部は、
前記バッテリー端子の正極端子に接続されて、所定レベル以上の電圧を検出するダイオードと、
前記ダイオードに接続されたＮＯＲゲートと、
から構成されることを特徴とする項目１に記載のショート検出装置。
（項目６）
前記ショートの種類が、端子間のショート、又は外部導体によるショートであることを特徴とする項目１に記載のショート検出装置。
（項目７）
前記出力が、視覚又は聴覚的に行われることを特徴とする項目１に記載のショート検出装置。
（項目８）
バッテリー端子と、
前記バッテリー端子のショート状態を検出するショート状態検出部と、
前記ショート状態検出部により検出されたショート状態を出力する制御部と、
を含むことを特徴とするショート検出装置。
（項目９）
前記ショート状態検出部は、一側は前記バッテリー端子の正極端子に接続され、他側は接地したＮＯＲゲートで構成されることを特徴とする項目８に記載のショート検出装置。
（項目１０）
前記バッテリー端子から発生したショートの種類を検出して前記制御部に出力するショート種類検出部をさらに含むことを特徴とする項目８に記載のショート検出装置。
（項目１１）
前記ショート種類検出部は、
前記バッテリー端子の正極端子に接続されて、所定レベル以上の電圧を検出するダイオードと、
前記ダイオードに接続されたＮＯＲゲートと、
から構成されることを特徴とする項目１０に記載のショート検出装置。
（項目１２）
前記ショートの種類が、端子間のショート、又は外部導体によるショートであることを特徴とする項目１０に記載のショート検出装置。
（項目１３）
前記ショート検出部により検出されたショート状態を出力するディスプレイ部及びアラーム部をさらに含むことを特徴とする項目８に記載のショート検出装置。
（項目１４）
前記出力が、視覚又は聴覚的に行われることを特徴とする項目８に記載のショート検出装置。
（項目１５）
バッテリー端子と、
前記バッテリー端子のショート状態を検出するショート状態検出部と、
前記バッテリー端子のショートの種類を検出するショート種類検出部と、
前記検出されたショート状態及びショートの種類を出力する制御部と、
を含むことを特徴とする移動通信端末機。
（項目１６）
前記出力が、視覚又は聴覚的に行われることを特徴とする項目１５に記載の移動通信端末機。
（項目１７）
前記ショート状態検出部は、一側は前記バッテリー端子の正極端子に接続され、他側は接地したＮＯＲゲートで構成されることを特徴とする項目１５に記載の移動通信端末機。
（項目１８）
前記ショート種類検出部は、
前記バッテリー端子の正極端子に接続されて、所定レベル以上の電圧を検出するダイオードと、
前記ダイオードに接続されたＮＯＲゲートと、
から構成されることを特徴とする項目１５に記載の移動通信端末機。
（項目１９）
前記ショートの種類が、異物による端子間のショート、又は外部導体によるショートであることを特徴とする項目１５に記載の移動通信端末機。
（項目２０）
バッテリー端子のショート状態を検出する段階と、
前記ショート状態が検出された場合、該当ショートの種類を検出する段階と、
前記検出されたショート状態及びショートの種類を出力する段階と、
を含むことを特徴とするショート検出方法。
（項目２１）
前記ショートの種類が、端子間のショート、又は外部導体によるショートであることを特徴とする項目２０に記載のショート検出方法。
（項目２２）
前記ショート状態及びショートの種類は、前記バッテリー端子の電位を利用して検出することを特徴とする項目２０に記載のショート検出方法。
（項目２３）
前記バッテリー端子の電圧が完全な接地電圧の場合は端子間のショートであり、前記バッテリー端子の電圧が接地電圧より若干大きい場合は外部導体によるショートであることを特徴とする項目２２に記載のショート検出方法。
（項目２４）
前記出力が、視覚又は聴覚的に行われることを特徴とする項目２０に記載のショート検出方法。
【発明の効果】
【００１７】
本発明によるバッテリー端子のショート検出装置及び方法は、検出手段によりバッテリー端子のショート状態を検出して使用者に視聴覚的に知らせることにより、バッテリー端子のショートによる端末機の内部回路の損傷を防止し、端末機の使用安定性を向上させることができるという効果がある。
【００１８】
また、検出手段によりバッテリー端子のショートの種類を検出して使用者に視聴覚的に知らせることにより、端末機の機能性を向上させることができるという効果がある。
【発明を実施するための最良の形態】
【００１９】
以下、本発明の好ましい実施形態を添付の図面を参照して説明する。
【００２０】
本発明は、移動通信端末機において、バッテリー端子の電気的ショートにより発生し得る様々な問題を改善するための装置及び方法を提案する。
【００２１】
図１は、本発明によるバッテリー端子のショート検出装置を示す図である。
【００２２】
図１に示すように、本発明によるバッテリー端子のショート検出装置は、バッテリー１０に接続されたバッテリー端子２０と、バッテリー端子２０のショート状態及びショートの種類を検出するショート検出部３０と、ショート検出部３０により検出されたショート状態及びショートの種類をディスプレイ部５０及び／又はアラーム部６０に知らせる制御部４０とを含む。好ましくは、ディスプレイ部５０はＬＣＤ（Ｌｉｑｕｉｄ  Ｃｒｙｓｔａｌ  Ｄｉｓｐｌａｙ）であり、制御部４０はＭＳＭ（Ｍｏｂｉｌｅ  Ｓｔａｔｉｏｎ  Ｍｏｄｅｍ）である。
【００２３】
ショート検出部３０は、バッテリー端子２０のショート状態を検出するショート状態検出部３１と、バッテリー端子２０の電位に基づいてショートの種類を検出するショート種類検出部３２とを含む。
【００２４】
ショート状態検出部３１は、一側はバッテリー端子２０の正極端子に接続され、他側は接地したＮＯＲゲートＮＲ１で構成され、ショート種類検出部３２は、所定レベル以上のバッテリー端子２０の電圧を検出するダイオードＤ１と、ダイオードＤ１に接続されたＮＯＲゲートＮＲ２とから構成される。
【００２５】
また、本発明の実施形態では、ショート状態検出部３１とショート種類検出部３２を同時に使用したが、必要に応じては独立して使用することもできる。
【００２６】
以下、このように構成された本発明によるバッテリー端子のショート検出装置の動作を図１を参照して説明する。
【００２７】
一般に、バッテリー１０に接続されたバッテリー端子２０がショートしない場合、ショート状態検出部３１及びショート種類検出部３２には、バッテリー端子２０の正極端子から常にハイレベルの電圧が印加される。
【００２８】
反面、バッテリー端子２０の正極端子と負極端子の間に異物が付着したり、その他の原因により電気的ショートが発生すると、バッテリー端子２０の正極端子がショートにより完全な接地電圧を有するため、ショート状態検出部３１及びショート種類検出部３２には、ローレベルの電圧が印加される。
【００２９】
従って、ショートが発生すると、ＮＯＲゲートＮＲ１で構成されたショート状態検出部３１は、端末機のショート状態を示すハイレベルの信号を制御部４０に出力し、ダイオードＤ１とＮＯＲゲートＮＲ２とから構成されたショート種類検出部３２は、ローレベルの電圧がダイオードＤ１を通過できないため、制御部４０に信号を全く出力しない。
【００３０】
ところが、ショート種類検出部３２は、ショートが発生した場合に常に信号を出力しないのでなく、特定種類のショートが検出された場合はハイレベルの信号を出力する。例えば、バッテリー端子２０の正極端子と負極端子の間に導体が挟まれてショートが発生した場合、前記両端子間の電圧は、導体のショートにより、完全なローレベルでなくローレベルに近い電圧を示す。前記ローレベルに近接した電圧は、ダイオードＤ１を介してＮＯＲゲートＮＲ２に印加され、ＮＯＲゲートＮＲ２は、外部導体によるショートが検出されたことを示すハイレベルの信号を制御部４０に出力する。
【００３１】
次に、制御部４０は、ショート状態検出部３１及びショート種類検出部３２の出力を利用して、バッテリー端子２０にどのような種類のショートが発生したかを判断した後、ディスプレイ部５０に表示すると共に、アラーム部６０により警報音を発生させる。
【００３２】
以下、本発明によるバッテリー端子のショート検出方法を説明する。
【００３３】
図２は、本発明によるバッテリー端子のショート検出方法を示すフローチャートである。
【００３４】
図２に示すように、端末機に電源が供給されると、制御部４０は、端末機の初期化過程を行う（Ｓ１０）。
【００３５】
前記の初期化過程を行った後、制御部４０は、使用者の要求によって、音声通信サービス、データ通信サービス、及びその他のマルチメディアサービスの提供を制御し、周期的に又は使用者の要求によって、バッテリー端子２０のショート状態及びショートの種類を検出する。バッテリー端子２０の種類別ショート状態は、ショート検出部３０の出力、より詳しくは、ショート状態検出部３１及びショート種類検出部３２の出力から判断する。
【００３６】
まず、制御部４０は、ショート状態検出部３１の出力がハイレベルであるかを判断して、バッテリー端子２０のショートが検出されたかを判断する（Ｓ１１）。
【００３７】
バッテリー端子２０のショートが検出されると、制御部４０は、ショート種類検出部３２の出力がハイレベルであるかを判断して、前記検出されたショートが外部導体によるショートであるかを判断する（Ｓ１２）。
【００３８】
判断の結果、前記検出されたショートが外部導体によるショートであると、制御部４０は、外部導体によるショートであることをディスプレイ部５０及び／又はアラーム部６０により使用者に知らせる（Ｓ１３）。反面、前記検出されたショートが外部導体によるショートでないと、制御部４０は、端子間のショートであることをディスプレイ部５０及び／又はアラーム部６０により使用者に知らせる（Ｓ１４）。
【００３９】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【図面の簡単な説明】
【００４０】
【図１】本発明による移動通信端末機におけるバッテリー端子のショート検出装置を示す図である。
【図２】本発明による移動通信端末機におけるバッテリー端子のショート検出方法を示すフローチャートである。
【図３】移動通信端末機と充電装置の結合状態を示す図である。
【符号の説明】
【００４１】
１０  バッテリー
２０  バッテリー端子
３０  ショート検出部
３１  ショート状態検出部
３２  ショート種類検出部
４０  制御部
５０  ディスプレイ部
６０  アラーム部
【図１】
2006094523.tif 000003
【図２】
2006094523.tif 000004
【図３】
2006094523.tif 000005